(57)【要約】【課題】接着不良による圧力漏れの発生の有無や、エアトラップの発生の有無を、直接的かつ容易に検査することができる、液体吐出装置の検査方法と、圧力漏れのない液体吐出装置を製造するための製造方法と、エアトラップの発生の有無を自動的に検査すると共に、自動的に解消する機能を有し、画質の良好な画像を、連続して印刷できるインクジェット印刷装置とを提供する。【解決手段】検査方法は、液体吐出装置１の圧電アクチュエータ６に、圧力室２と連通路４内の液体に短周期振動を発生させることができる電圧値を有する検査信号を印加して、周波数−電流値特性曲線を求め、前記特性曲線中に生じる電流値のピークの状態を確認する。液体吐出装置１の製造方法は、前記検査を行う工程を含む。インクジェット印刷装置は、前記検査を実施して、異状が発見された場合は、インクを強制的に排出させる機能を有する。【選択図】図１
2008080532.tif 000002
【特許請求の範囲】
【請求項１】
(a)  液体が充填される圧力室、
(b)  液体を、液滴として吐出させるためのノズル、
(c)  圧力室とノズルとを繋ぎ、液体が充填される連通路、および
(d)  圧電素子を含み、前記圧電素子の変形によって振動して圧力室の容積を増減させることで、前記圧力室内の液体を振動させ、前記振動を、連通路内の液体を通してノズルに伝えて、前記ノズルから液滴を吐出させるための圧電アクチュエータ、
を備えた液体吐出装置の、前記圧力室、および連通路に、液体を充填した状態で、圧電アクチュエータに、圧力室と連通路内の液体に短周期振動を発生させることができる電圧値を有する、一定の周波数帯域に亘る検査信号を印加した際の、前記検査信号の、周波数−電流値特性曲線を求め、前記特性曲線中に、前記短周期振動に対応した電流値のピークが生じるか否か、およびピークが生じた場合は、その周波数位置を確認することで、前記圧力室と連通路における異状の有無を検査することを特徴とする液体吐出装置の検査方法。
【請求項２】
検査信号の電圧値を、圧電アクチュエータを作動させて、ノズルから液滴を吐出させるための駆動信号の電圧値の５０％以上に設定する請求項１に記載の液体吐出装置の検査方法。
【請求項３】
平板状の圧電素子を含む平板状に形成され、前記圧電素子が、平板の面方向に伸縮することで、前記面方向と交差方向に撓み変形するように振動する圧電アクチュエータを備えた液体吐出装置を検査する請求項１に記載の液体吐出装置の検査方法。
【請求項４】
(a)  液体が充填される圧力室、
(b)  液体を、液滴として吐出させるためのノズル、
(c)  圧力室とノズルとを繋ぎ、液体が充填される連通路、および
(d)  圧電素子を含み、前記圧電素子の変形によって振動して圧力室の容積を増減させることで、前記圧力室内の液体を振動させ、前記振動を、連通路内の液体を通してノズルに伝えて、前記ノズルから液滴を吐出させるための圧電アクチュエータ、
を備えた液体吐出装置を作製する工程と、
作製した液体吐出装置の、前記圧力室、および連通路に、液体を充填した状態で、圧電アクチュエータに、圧力室と連通路内の液体に短周期振動を発生させることができる電圧値を有する、一定の周波数帯域に亘る検査信号を印加した際の、前記検査信号の、周波数−電流値特性曲線を求め、前記特性曲線中に、前記短周期振動に対応した電流値のピークが生じるか否か、およびピークが生じた場合は、その周波数位置を確認することで、前記圧力室と連通路における異状の有無を検査する工程と、
を含むことを特徴とする液体吐出装置の製造方法。
【請求項５】
(A)  インクが充填される圧力室、
(B)  インクを、インク滴として吐出させるためのノズル、
(C)  圧力室とノズルとを繋ぎ、インクが充填される連通路、
(D)  圧電素子を含み、前記圧電素子の変形によって振動して圧力室の容積を増減させることで、前記圧力室内のインクを振動させ、前記振動を、連通路内のインクを通してノズルに伝えて、前記ノズルからインク滴を吐出させるための圧電アクチュエータ、
(E)  圧電アクチュエータに、ノズルからインク滴を吐出させるための駆動信号を印加するための駆動回路、および
(F)  駆動回路を作動させるための制御ユニット、
を備えると共に、前記制御ユニットが、駆動回路を作動させて、圧電アクチュエータに、圧力室と連通路内のインクに短周期振動を発生させることができる電圧値を有する、一定の周波数帯域に亘る検査信号を印加させるための検査信号発生部と、印加させた検査信号の、周波数ごとの電流値を測定するための電流測定部と、電流測定部による測定結果をもとに、圧力室と連通路における異状の有無を判定する判定部と、前記判定部での判定の結果に基づいて、圧電アクチュエータを作動させて、ノズルからインクを排出させる操作を行うメンテナンス制御部とを有することを特徴とするインクジェット印刷装置。
【請求項６】
(g)  ノズルを清掃する清掃部材を備え、メンテナンス制御部は、判定部での判定の結果に基づいて、前記清掃部材を作動させてノズルを清掃する操作を行わせる請求項５に記載のインクジェット印刷装置。
【発明の詳細な説明】
【技術分野】
【０００１】
本発明は、液体吐出装置の検査方法および製造方法と、前記検査方法を実施する機能を有するインクジェット印刷装置に関するものである。
【背景技術】
【０００２】
液体が充填される圧力室を、基板の片面に、面方向に複数個、配列させて形成し、かつ、前記基板の反対面に、各圧力室ごとに対応させて、液体を、液滴として吐出させるためのノズルを形成すると共に、それぞれの圧力室とノズルとを、個別に、液体が充填される連通路で繋ぎ、さらに、基板の、圧力室を形成した片面側に、圧電素子を含む圧電アクチュエータを配設した液体吐出装置が、インクジェットプリンタやインクジェットプロッタ等の、インクジェット記録方式を利用したインクジェット印刷装置において、圧電インクジェットヘッドとして、広く用いられている。
【０００３】
前記液体吐出装置においては、圧力室と連通路に液体を充填した状態で、圧電素子に、駆動信号として、例えば、所定の周期で電圧の印加と停止とが繰り返される駆動電圧パルスを印加して、圧電アクチュエータを、電圧の印加によって厚み方向に撓み変形された状態と、印加の停止によって前記撓み変形が解除された状態とが繰り返されるように振動させて、圧力室の容積を増減させると、それに伴って生じる圧力変化によって、前記圧力室内の液体が振動し、前記振動が、連通路内の液体を通してノズルに伝えられて、前記ノズル内に形成される液体のメニスカスが振動し、この振動に伴って、メニスカスを形成する液体の一部が、液滴として分離されて、ノズルから吐出される。
【０００４】
そして、圧電インクジェットヘッドの場合は、ノズルから吐出された液滴（インク滴）が、前記ノズルと対向させて配設した紙面まで飛翔し、紙面に到達して、前記紙面に、ドットが形成され、前記ドットの、色、密度、および大きさ等の分布に基づいて、前記紙面に画像が印刷される。
【０００５】
前記各部を備えた液体吐出装置は、例えば、順に積層することで、圧力室や連通路、ノズル等となる通孔を有する複数種の板材を、前記順に、位置合わせしながら、接着剤によって接着する等して積層して一体化することで、基板を形成すると共に、前記基板の、圧力室を形成した側の面に、圧電アクチュエータを、位置合わせしながら、接着剤によって接着する等して積層して一体化することで、製造するのが一般的である。
【０００６】
ところが、前記各板材間や、基板と圧電アクチュエータとの間で接着不良が生じた場合には、先に説明した駆動電圧パルスを印加して圧電アクチュエータを振動させた際に、前記振動によって、圧力室内に充填された液体に加えられる圧力変化が、接着不良部分での液漏れによって吸収される、いわゆる圧力漏れが生じて、ノズル内の液体のメニスカスを、十分に振動させることができないという問題を生じる。液体吐出装置の使用中に、前記液体吐出装置が熱履歴を受けて、各部の熱膨張係数の差等に伴って、接着部分に剥離等が生じた場合も同様である。
【０００７】
また、液体吐出装置の使用中に、圧力室内や連通路内に気泡が混入すると、前記気泡が、圧電アクチュエータの振動によって生じる圧力変化を吸収する、いわゆるエアトラップとして機能するため、前記圧力漏れの場合と同様に、ノズル内の液体のメニスカスを、十分に振動させることができないという問題を生じる。
【０００８】
そして、これらの問題を生じた場合には、ノズルから吐出される液滴の吐出速度が不足したり、液滴が全く吐出されなかったりするため、圧電インクジェットヘッドの場合は、紙面の所定の位置にドットが形成されない、いわゆるドット抜けの不良を生じて、紙面に印刷される画像の画質が低下するという問題がある。
【０００９】
そのため、製造直後の液体吐出装置の、個々の圧力室と、それに連通する連通路について、圧力漏れが生じているか否かを検査したり、使用中の液体吐出装置の、前記個々の圧力室および連通路について、エアトラップを生じているか否かを検査したりするための、新たな検査方法についての開発が求められている。
【００１０】
特許文献１には、製造直後の液体吐出装置の圧電アクチュエータの、インピーダンスの周波数特性を、前記圧電アクチュエータの、個々の圧力室に対応して設定され、駆動電圧パルスの印加によって振動する領域（「圧電変形領域」とする）ごとに測定して、インピーダンスが極大となる周波数である反共振周波数Ｆａと、インピーダンスが極小となる周波数である共振周波数Ｆｒとの差Ｆａ−Ｆｒから、基板と圧電アクチュエータとの接着状態を検査することが記載されている。
【００１１】
また、特許文献２には、使用中の液体吐出装置の圧電アクチュエータの、個々の圧電変形領域に、ノズルからインク滴を吐出させない計測信号を印加して、前記圧電変形領域を自励発振させた際に、その発振波形、詳しくは発振周波数の、正常時からのずれの有無を求めて、インクの変質状態、すなわち、インクのゲル化や粘度上昇等を検査することが記載されている。
【特許文献１】特開２００５−２２５０２８号公報（請求項１、段落[０００７]〜[０００８]、段落[００５８]、図１０）
【特許文献２】特開２００５−３１９７０６号公報（請求項１、段落[０００９]〜[００１０]、段落[００１５]〜[００１６]、段落[００３２]、図３）
【発明の開示】
【発明が解決しようとする課題】
【００１２】
特許文献１に記載された検査方法によれば、基板と圧電アクチュエータとの接着状態を検査することができるので、前記検査方法によって、両者の界面で接着不良が発生しているのを発見した場合には、前記接着不良が原因となって、前記界面で、圧力漏れが発生しているのではないかと推測することはできる。
【００１３】
しかし、前記検査方法では、本当に圧力漏れが発生しているか否かを、直接的に知ることはできない。また、基板と圧電アクチュエータとが接着不良を生じることなく、良好に接着されている場合には、特許文献１の検査方法では、基板を形成する板材間で、接着不良による圧力漏れが発生していても、それを発見することはできない。また、エアトラップを発見することもできない。
【００１４】
また、特許文献２に記載された検査方法では、自励発振、すなわち、圧電素子を含むノズルヘッド（液体吐出装置）の構造およびインクにより生じる全体的なシステム共振の発振周波数のずれから、前記液体吐出装置の構造に異状がないと仮定して、先に説明したように、インクの変質状態を検出している。そのため、インクが変質しない状態で、発振周波数にずれが生じているかどうかを調べることができれば、液体吐出装置の構造に異状があるか否かを検査できるのではないかと考えられる。
【００１５】
しかし、特許文献２で言うところの自励発振は、前記規定から解釈すると、液体吐出装置の、液体供給のための供給路と圧力室との間に設けられて、前記圧力室内の圧力変化が、供給路に伝わるのを防止するための絞り部から、圧力室、連通路を経由してノズルに至る各部内の液体の、体積速度の固有振動周期にほぼ一致すると考えられ、その場合、特に、平板状の圧電素子を含む平板状に形成され、前記圧電素子が、平板の面方向に伸縮することで、前記面方向と交差方向に撓み変形するように振動する、いわゆる横振動モードの圧電素子である圧電アクチュエータを備えた液体吐出装置においては、前記圧電アクチュエータの剛性が低く、コンプライアンスが大きいため、体積速度の固有振動に対する応答が不明瞭であり、構造に異状があっても、それを、特許文献２の検査方法で発見するのは困難である。
【００１６】
本発明の目的は、基板と圧電アクチュエータとの間や、基板を形成する板材の間での、接着不良による圧力漏れの発生の有無、あるいは圧力室内や連通路内でのエアトラップの発生の有無を、直接的かつ容易に検査することができる、液体吐出装置の検査方法を提供することにある。本発明の、他の目的は、圧力漏れのない、良好な液体吐出装置を製造することができる製造方法を提供することにある。本発明の、さらに他の目的は、エアトラップの発生の有無を自動的に検査すると共に、エアトラップが発生した場合には、それを自動的に解消する機能を有するため、エアトラップの発生に伴うドット抜けの不良のない、画質の良好な画像を、連続して印刷することができるインクジェット印刷装置を提供することにある。
【課題を解決するための手段】
【００１７】
発明者の検討によると、液体吐出装置の圧力室、および連通路に液体を充填した状態で、圧電アクチュエータに、圧力室と連通路内の液体に短周期振動を発生させることができる電圧値を有する、一定の周波数帯域に亘る検査信号を印加して、前記検査信号の、周波数−電流値特性曲線を求めた結果から、基板と圧電アクチュエータとの間や、基板を形成する板材の間での、接着不良による圧力漏れの発生の有無、あるいは圧力室内や連通路内でのエアトラップの発生の有無を、直接的かつ容易に検査することが可能である。
【００１８】
すなわち、前記圧力室、または連通路に、先に説明した圧力漏れやエアトラップの異状が発生していない場合には、前記特性曲線のうち、所定の周波数位置に、共振に伴う電流値のピークを観察することができる。ところが、前記異状が発生している場合には、前記所定の周波数位置にピークが見られなかったり、ピークの周波数位置がずれたりする。
【００１９】
また、前記所定の周波数位置より低周波数側では、前記異状が発生していない場合には、特性曲線に、急激な変化は見られないが、異状が発生している場合には、不規則な電流の立ち上がりによるイレギュラーなピークが見られる場合もある。そのため、これらピークの発生状態を観察することで、圧力漏れやエアトラップの発生の有無を、直接的、かつ容易に検査することができる。
【００２０】
したがって、請求項１に記載の発明は、
(a)  液体が充填される圧力室、
(b)  液体を、液滴として吐出させるためのノズル、
(c)  圧力室とノズルとを繋ぎ、液体が充填される連通路、および
(d)  圧電素子を含み、前記圧電素子の変形によって振動して圧力室の容積を増減させることで、前記圧力室内の液体を振動させ、前記振動を、連通路内の液体を通してノズルに伝えて、前記ノズルから液滴を吐出させるための圧電アクチュエータ、
を備えた液体吐出装置の、前記圧力室、および連通路に、液体を充填した状態で、圧電アクチュエータに、圧力室と連通路内の液体に短周期振動を発生させることができる電圧値を有する、一定の周波数帯域に亘る検査信号を印加した際の、前記検査信号の、周波数−電流値特性曲線を求め、前記特性曲線中に、前記短周期振動に対応した電流値のピークが生じるか否か、およびピークが生じた場合は、その周波数位置を確認することで、前記圧力室と連通路における異状の有無を検査することを特徴とする液体吐出装置の検査方法である。
【００２１】
検査信号の電圧値は、請求項２に記載したように、圧電アクチュエータを作動させて、ノズルから液滴を吐出させるための駆動信号の電圧値の５０％以上であるのが好ましい。電圧値が前記範囲未満では、前記各ピークにおける電流値の変化量が小さく、したがってピーク高さが小さくなるため、ピークの発生状態を観察することで、圧力漏れやエアトラップの発生の有無を、直接的、かつ容易に検査するのが容易でなくなるおそれがある。
【００２２】
前記本発明の検査方法は、請求項３に記載したように、圧電アクチュエータが、平板状の圧電素子を含む平板状に形成され、前記圧電素子が、平板の面方向に伸縮することで、前記面方向と交差方向に撓み変形するように振動する、いわゆる横振動モードの圧電素子である場合に、特に、好適に採用することができる。
【００２３】
すなわち、先に説明したように、横振動モードの圧電素子を備えた圧電アクチュエータは、剛性が低く、コンプライアンスが大きいため、体積速度の固有振動に対する応答が不明瞭であるが、圧力室内と連通路内の液体の短周期振動に対しては、先に説明した電流値の応答挙動が明瞭であり、圧力漏れやエアトラップの発生の有無を、直接的、かつ容易に検査することができる。
【００２４】
請求項４に記載の発明は、
(a)  液体が充填される圧力室、
(b)  液体を、液滴として吐出させるためのノズル、
(c)  圧力室とノズルとを繋ぎ、液体が充填される連通路、および
(d)  圧電素子を含み、前記圧電素子の変形によって振動して圧力室の容積を増減させることで、前記圧力室内の液体を振動させ、前記振動を、連通路内の液体を通してノズルに伝えて、前記ノズルから液滴を吐出させるための圧電アクチュエータ、
を備えた液体吐出装置を作製する工程と、
作製した液体吐出装置の、前記圧力室、および連通路に、液体を充填した状態で、圧電アクチュエータに、圧力室と連通路内の液体に短周期振動を発生させることができる電圧値を有する、一定の周波数帯域に亘る検査信号を印加した際の、前記検査信号の、周波数−電流値特性曲線を求め、前記特性曲線中に、前記短周期振動に対応した電流値のピークが生じるか否か、およびピークが生じた場合は、その周波数位置を確認することで、前記圧力室と連通路における異状の有無を検査する工程と、
を含むことを特徴とする液体吐出装置の製造方法である。
【００２５】
請求項４に記載の発明によれば、先に説明した本発明の検査方法によって、圧力漏れやエアトラップの発生の有無を、直接的、かつ容易に検査しながら、液体吐出装置を製造することができるため、圧力漏れのない、良好な液体吐出装置を製造することが可能となる。
【００２６】
請求項５に記載の発明は、
(A)  インクが充填される圧力室、
(B)  インクを、インク滴として吐出させるためのノズル、
(C)  圧力室とノズルとを繋ぎ、インクが充填される連通路、
(D)  圧電素子を含み、前記圧電素子の変形によって振動して圧力室の容積を増減させることで、前記圧力室内のインクを振動させ、前記振動を、連通路内のインクを通してノズルに伝えて、前記ノズルからインク滴を吐出させるための圧電アクチュエータ、
(E)  圧電アクチュエータに、ノズルからインク滴を吐出させるための駆動信号を印加するための駆動回路、および
(F)  駆動回路を作動させるための制御ユニット、
を備えると共に、前記制御ユニットが、駆動回路を作動させて、圧電アクチュエータに、圧力室と連通路内の液体に短周期振動を発生させることができる電圧値を有する、一定の周波数帯域に亘る検査信号を印加させるための検査信号発生部と、印加させた検査信号の、周波数ごとの電流値を測定するための電流測定部と、電流測定部による測定結果をもとに、圧力室と連通路における異状の有無を判定する判定部と、前記判定部での判定の結果に基づいて、圧電アクチュエータを作動させて、ノズルからインクを排出させる操作を行うメンテナンス制御部とを有することを特徴とするインクジェット印刷装置である。
【００２７】
請求項５に記載の発明においては、制御ユニットに含まれる前記各部が、例えば、印刷開始時や、印刷途中の任意の時点等において作動して、先に説明した本発明の検査方法によって、エアトラップの発生の有無を自動的に検査すると共に、前記検査によって、エアトラップが発生していることが確認された場合には、メンテナンス制御部が、圧電アクチュエータを作動させて、ノズルからインクを強制的に排出させる操作を行うことで、前記エアトラップを自動的に解消する機能を有している。そのため、請求項５に記載の発明のインクジェット印刷装置によれば、エアトラップの発生に伴うドット抜けの不良のない、画質の良好な画像を、連続して印刷することが可能となる。
【００２８】
また、請求項６に記載したように、前記インクジェット印刷装置が、ノズルを清掃する清掃部材を備えると共に、メンテナンス制御部が、判定部での判定の結果に基づいて、前記清掃部材を作動させてノズルを清掃する操作を行わせる機能をも有する場合には、エアトラップの発生を、より一層、確実に解消することができる。
【発明の効果】
【００２９】
本発明によれば、基板と圧電アクチュエータとの間や、基板を形成する板材の間での、接着不良による圧力漏れの発生の有無、あるいは圧力室内や連通路内でのエアトラップの発生の有無を、直接的かつ容易に検査することができる、液体吐出装置の検査方法を提供することができる。また、本発明によれば、圧力漏れのない、良好な液体吐出装置を製造することができる製造方法を提供することができる。
【００３０】
さらに、本発明によれば、エアトラップの発生の有無を自動的に検査すると共に、エアトラップが発生した場合には、それを自動的に解消する機能を有するため、エアトラップの発生に伴うドット抜けの不良のない、画質の良好な画像を、連続して印刷することができるインクジェット印刷装置を提供することができる。
【発明を実施するための最良の形態】
【００３１】
《液体吐出装置》
図１は、本発明の検査方法が実施される液体吐出装置１を、インクジェット印刷装置に組み込んだ例を示す断面図である。図２は、図１の例のインクジェット印刷装置のうち、液体吐出装置１の、１つの圧力室２の部分での、図１と直交する方向の断面を示す断面図である。図１および図２を参照して、この例の液体吐出装置１は、両図において上面に、インクが充填される圧力室２が、複数個、面方向に配列させて形成され、下面に、各圧力室２に対応させて、液滴を吐出させるためのノズル３が、複数個、形成されていると共に、各圧力室２とノズル３とが、それぞれ別個に、インクが充填される連通路４によって繋がれた基板５と、前記基板５の、圧力室を形成した上面に積層された、圧電アクチュエータ６とを備えている。
【００３２】
また、基板５内には、液体供給のための共通の供給路７が形成されていると共に、前記供給路７と各圧力室２とが、それぞれ、個々の圧力室２内の圧力変化が供給路７に伝わるのを防止するための絞り部８を介して接続されている。なお、図２において符号９は、絞り部８と圧力室２とを繋ぐ小室である。前記小室９は、本発明の検査方法を実施する際には、圧力室２の一部として機能する。
【００３３】
圧電アクチュエータ６は、複数の圧力室２を覆う大きさを有する薄板状に形成された圧電セラミック層１０と、前記圧電セラミック層１０の、両図において上面に、各圧力室２ごとに個別に形成された個別電極１１と、圧電セラミック層１０の下面に積層された、いずれも複数の圧力室２を覆う大きさを有する共通電極１２と振動板１３とを備えた、いわゆるユニモルフ型の構成を有している。
【００３４】
前記ユニモルフ型の圧電アクチュエータ６は、個々の圧力室２に対応して設定された複数の圧電変形領域１４と、前記圧電変形領域１４を囲んで配設され、基板５に固定されることで変形が規制された拘束領域１５とに区画されている。各個別電極１１と、共通電極１２とは、それぞれ別個に、駆動回路１６に接続されており、駆動回路１６は、制御ユニット１７に接続されている。
【００３５】
前記各部のうち、基板５は、例えば供給路７、絞り部８、小室９、圧力室２、連通路４、およびノズル３となる通孔が形成された複数種の板材を、順に位置合わせしながら、接着剤によって接着する等して積層して一体化することで、図の断面形状に形成される。各板材としては、それぞれ、金属やセラミック、樹脂等によって、厚みが一定な平板状に形成されていると共に、例えば、フォトリソグラフ法を利用したエッチング等によって、前記各部となる、所定の平面形状を有する通孔が、所定の位置に形成されたものを用いることができる。板材を金属で形成する場合、前記金属としては、Ｆｅ−Ｃｒ系合金、Ｆｅ−Ｎｉ系合金、ＷＣ−ＴｉＣ系合金等が挙げられ、特にインク等の液体に対する耐食性と、加工性とを考慮するとＦｅ−Ｃｒ系合金が好ましい。
【００３６】
圧電セラミック層１０は、例えばジルコン酸チタン酸鉛（ＰＺＴ）や、前記ＰＺＴにランタン、バリウム、ニオブ、亜鉛、ニッケル、マンガン等の酸化物の１種または２種以上を添加したＰＬＺＴ等の、ＰＺＴ系の圧電セラミックによって、薄板状に形成することができる。また、圧電セラミック層１０は、マグネシウムニオブ酸鉛（ＰＭＮ）、ニッケルニオブ酸鉛（ＰＮＮ）、亜鉛ニオブ酸鉛、マンガンニオブ酸鉛、アンチモンスズ酸鉛、チタン酸鉛、チタン酸バリウム等を主成分とする圧電セラミックによって形成することもできる。さらに、ビスマス層状化合物、タングステンブロンズ構造物、ニオブ酸アルカリ、チタン酸バリウム等のペロブスカイト型化合物等の、いわゆる非鉛系の材料によって形成することもできる。
【００３７】
振動板１３は、例えばモリブデン、タングステン、タンタル、チタン、白金、鉄、ニッケル等の金属や、前記金属の合金、あるいはステンレス鋼等によって、所定の厚みを有する板状に形成できる他、圧電セラミック層１０と同じ圧電セラミックによって形成することもできる。また、振動板１３を、金、銀、白金、銅、アルミニウム等の、導電性に優れた金属によって形成して、共通電極１２を省略することもできる。
【００３８】
個別電極１１、共通電極１２は、それぞれ金、銀、白金、銅、アルミニウム等の、導電性に優れた金属からなる箔、めっき被膜、真空蒸着被膜等によって形成できる他、前記各金属の微粒子を含む導電ペーストを塗布し、乾燥させた後、さらに必要に応じて焼成して形成することもできる。
【００３９】
個別電極１１をパターン形成するためには、例えば、めっき被膜や真空蒸着被膜の場合は、圧電セラミック層１０の表面の、個別電極１１を形成する領域のみを選択的に露出させ、それ以外の領域をめっきマスクで被覆した状態で、前記露出させた領域に、選択的に被膜を形成する方法や、圧電セラミック層１０の表面の全面に被膜を成膜後、前記被膜の、個別電極１１に対応する領域のみをエッチングマスクで被覆し、それ以外の領域を露出させた状態で、前記露出させた領域の被膜を、選択的にエッチングして除去する方法等が採用される。また、導電ペーストからなる塗膜の場合は、前記導電ペーストを、スクリーン印刷等の印刷方法によって、圧電セラミック層１０の表面に、直接にパターン形成すればよい。
【００４０】
圧電セラミックからなる圧電セラミック層１０や振動板１３は、焼成によって、先に説明した圧電セラミックとなる化合物を含むグリーンシートを、所定の平面形状に形成後、焼成して形成することができる。特に、圧電セラミック層１０と振動板１３が、共に、圧電セラミックによって形成される場合は、それぞれの層のもとになるグリーンシートの間に、焼成によって、共通電極１２となる導電性ペーストの層を挟んだ積層体を作製し、前記積層体を一度に焼成することで、圧電セラミック層１０と、共通電極１２と、振動板１３とが積層された積層体を得ることができる。
【００４１】
前記積層体の、圧電セラミック層１０の表面に、先に説明した方法で、個別電極１１をパターン形成すれば、圧電アクチュエータ６が形成される。そして圧電アクチュエータ６を、基板５の、圧力室２を形成した側の面上に、位置合わせしながら、接着剤によって接着する等して積層することで、液体吐出装置１が構成される。接着剤としては、液体吐出装置１に要求される耐熱性や、インク等の液体に対する耐性等を考慮すると、熱硬化温度が１００〜２５０℃であるエポキシ樹脂系、フェノール樹脂系、ポリフェニレンエーテル樹脂系等の、熱硬化性樹脂系の接着剤が好ましい。
【００４２】
薄板状の圧電セラミック層１０を、横振動モードとするためには、圧電セラミックの分極方向を、前記圧電セラミック層１０の厚み方向、例えば、個別電極１１から共通電極１２に向かう方向に配向させる。そのためには、例えば、高温分極法、室温分極法、交流電界重畳法、電界冷却法等の分極方法が採用される。
【００４３】
図１、２の例の液体吐出装置１を、圧電インクジェットヘッドとして、インクジェット印刷装置に組み込んで使用する際には、まず、供給路７から、絞り部８および小室９を介して、各圧力室２内、および連通路４内に、液体としてのインクを充填すると共に、ノズル３内に、インクの表面張力によってインクメニスカスが形成された状態とする。
【００４４】
図９は、前記状態とされた液体吐出装置１を、いわゆる引き打ち式の駆動方法によって駆動させる際に、
・  制御ユニット１７からの指令に基づいて、圧電アクチュエータ６の圧電変形領域１４に、駆動回路１６から、個別電極１１と共通電極１２とを介して、駆動信号として印加される駆動電圧パルスにおける、駆動電圧ＶPの推移（駆動電圧パルスの波形、太線の一点鎖線で示す）の一例と、
・  前記駆動電圧パルスが印加されて、前記圧電変形領域１４が振動した際に発生する、ノズル３内における、インクの体積速度の変化〔太線の実線で示す、（＋）がノズル３の先端側、つまりインク滴の吐出側、（−）が圧力室２側〕と、
の関係を簡略化して示すグラフである。
【００４５】
図１、図２、および図９を参照して、まず、図９中のｔ1より左側の、ノズル３からインク滴を吐出させない待機時には、駆動電圧ＶPをＶHに維持（ＶP＝ＶH）し続けることによって、圧電変形領域１４を、圧力室２の方向に突出するように撓み変形させて、前記圧力室２の容積を減少させた状態を維持させており、この間、インクは静止状態、すなわち、ノズル３におけるインクの体積速度は０を維持し、前記ノズル３のインクメニスカスは静止している。
【００４６】
ノズル３からインク滴を吐出させるには、まず、その直前のｔ1の時点で、圧電変形領域１４に印加していた駆動電圧ＶPを放電（ＶP＝０）することによって、圧電変形領域１４の撓み変形を解除させる。そうすると、圧力室２の容積が一定量だけ増加するため、ノズル３内のインクメニスカスは、その容積の増加分だけ、前記圧力室２の方向に引き込まれる。その際の、ノズル３内でのインクの体積速度は、図９のｔ1とｔ2との間の部分に示すように、一旦、（−）側に大きくなった後、徐々に小さくなって、やがて０に近づく。これは、太線の実線で示す、インクの体積速度の固有振動周期Ｔ1の、ほぼ半周期分に相当する。
【００４７】
次に、ノズル３でのインクの体積速度が限りなく０に近づいたｔ2の時点で、駆動電圧ＶPを、再びＶHまで充電（ＶP＝ＶH）して、圧電変形領域１４を、圧力室２の方向に突出するように、再び撓み変形させる。そうすると、ノズル３内のインクは、インクメニスカスが圧力室２の側に最も大きく引き込まれた状態（ｔ2の時点の、体積速度が０の状態）から、逆に、ノズル３の先端方向へ戻ろうとしているところに、圧電変形領域１４を撓み変形させて、圧力室２の容積を減少させることによって、前記圧力室２から押し出されたインクの圧力が加わることになるため、ノズル３の先端側の方向へ加速されて、前記ノズル３の外方へ大きく突出する。
【００４８】
その際の、ノズル３内でのインクの体積速度は、図９のｔ2とｔ3との間の部分に示すように、一旦、（＋）側に大きくなった後、徐々に小さくなって、やがて０に近づく。ノズル３の外方へ突出したインクが略円柱状に見えることから、この突出状態のインクを、一般に、インク柱と称する。
【００４９】
次に、ノズル３の外方に突出したインクの体積速度が限りなく０に近づいた時点（図９のｔ3の時点）で、駆動電圧ＶPを、再び、放電（ＶP＝０）して、圧電変形領域１４の撓み変形を解除させる。そうすると、インクが、ノズル３の外方に最も大きく突出した状態（ｔ3の時点の、体積速度が０の状態）から、逆に、圧力室２の方向へ戻ろうとしているところに、圧電変形領域１４の撓み変形を解除して、圧力室２の容積を再び増加させたことによる、マイナスの圧力が加わることによって、ノズル３の外方へ伸びきったインク柱が切り離されて、１滴目の液滴が生成される。
【００５０】
インク柱が切り離されたノズル３内のインクは、再び、圧力室２の方向に引き込まれる。その際の、ノズル３内でのインクの体積速度は、図９のｔ3とｔ4との間の部分に示すように、一旦、（−）側に大きくなった後、徐々に小さくなって、やがて０に近づく。これは、先に説明したように、インクの体積速度の固有振動周期Ｔ1の、ほぼ半周期分に相当する。
【００５１】
次に、ノズル３でのインクの体積速度が限りなく０に近づいたｔ4の時点で、駆動電圧ＶPを、再びＶHまで充電（ＶP＝ＶH）して、圧電変形領域１４を、圧力室２の方向に突出するように、再び撓み変形させる。そうすると、先の、ｔ2からｔ3の間でのインクの挙動と同じメカニズムによって、インクが、ノズル３の外方へ大きく突出して、インク柱が形成される。その際の、ノズル３内でのインクの体積速度は、図９のｔ4とｔ5との間の部分に示すように、一旦、（＋）側に大きくなった後、徐々に小さくなって、やがて０に近づく。
【００５２】
そして、ノズル３でのインクの体積速度が０になった時点（図９のｔ5の時点）以降、インクの振動の速度が圧力室２の側に向かうことによって、ノズル３の外方へ伸びきったインク柱が切り離されて、２滴目の液滴が生成される。生成された１滴目および２滴目の液滴は、それぞれ、ノズル３の先端に対向させて配設した用紙の表面まで飛翔して、１つのドットを形成する。
【００５３】
前記一連の動作は、図９に太線の一点鎖線で示すように、パルス幅Ｔ2が固有振動周期Ｔ1の約１／２倍であるパルスを２回、含む波形を有する駆動電圧パルスを、圧電変形領域１４に印加していることに相当する。１つのドットを、１滴のみの液滴で形成する場合は、前記パルスを、１回のみとすればよい。また、１つのドットを、３滴以上の液滴で形成する場合は、パルスを、液滴の数に応じた回数、発生させればよい。前記一連の動作を、ノズルと対向させて、その紙面を配設した用紙の搬送と交互に行うことで、前記紙面に、所定の画像を印刷することができる。
【００５４】
《液体吐出装置の検査方法》
本発明の検査方法は、製造直後、および使用途中の液体吐出装置１に対して実施することができる。本発明の検査方法を、先に説明した、液体吐出装置１が圧電インクジェットヘッドとして組み込まれたインクジェット印刷装置に対して行う場合を例にとって、以下に説明する。
【００５５】
前記例において、本発明の検査方法を実施するためには、まず、先に説明した印刷時と同様に、供給路７から、絞り部８および小室９を介して、各圧力室２内、および連通路４内に、液体としてのインクを充填すると共に、ノズル３内に、インクの表面張力によってインクメニスカスが形成された状態とする。
【００５６】
次に、駆動回路１６から、あるいは別個に用意した検査回路から、圧電アクチュエータ６の圧電変形領域１４に、例えば図３に示す台形波等の、任意の波形を有すると共に、小室９を含む圧力室２内と、連通路４内の液体に短周期振動を発生させることができる電圧値ＶEを有する検査信号を印加して、前記短周期振動を発生させる。
【００５７】
検査信号は、一定の周波数帯域、詳しくは、先に説明した、共振に伴う電流値のピークや、不規則な電流の立ち上がりによるイレギュラーなピークが発生すると予測される周波数を含む、一定幅の周波数帯域に亘るように、図３中にＴ3で示す波長を掃引しながら印加する。この波長の掃引において、図３に示す検査信号の、パルス波形のデューティー比は一定に保たれる。なお、図では、検査信号としてパルス波形を用いているが、検査信号は、サイン波形その他の波形を有していてもよい。そして、波長の逆数である周波数と、その周波数での電流値との関係を示す周波数−電流値特性曲線を求める。
【００５８】
そうすると、圧力漏れやエアトラップの異状が発生していない場合には、図４中に実線で示すように、あるいは、図５に拡大して示すように、前記特性曲線のうち、所定の周波数位置に、共振に伴う電流値のピークを観察することができるが、前記異状が発生している場合には、両図中に破線で示すように、前記所定の周波数位置にピークが見られなかったり、ピークの周波数位置がずれたりする。
【００５９】
また、前記異状が発生していない場合には、図４中に実線で示すように、あるいは図６に拡大して示すように、前記所定の周波数位置より低周波数側では、特性曲線に、急激な変化は見られないが、異状が発生している場合には、両図中に破線で示すように、不規則な電流の立ち上がりによるイレギュラーなピークが見られる。そのため、これらピークの発生状態を観察することで、圧力漏れやエアトラップの発生の有無を、直接的、かつ容易に検査することができる。
【００６０】
先に説明した、異常が発生していない場合のピークは、式(1)〜(3)：
【数１】
2008080532.tif 000003
【数２】
2008080532.tif 000004
【数３】
2008080532.tif 000005
〔各式中、Ｔｓは、前記特性曲線上にピークが現れる周期、Ｍａは、振動板１３を含む圧電アクチュエータ６からなる振動系のイナータンス、Ｍｃは小室９を含む圧力室２のイナータンス、Ｍｄは連通路４のイナータンス、Ｃａは圧電アクチュエータ６のコンプライアンス、Ｃｄは連通路４のコンプライアンスである〕
で表される周期Ｔｓで、特性曲線上に現れる。
【００６１】
これに対し、絞り部８から、小室９、圧力室２、連通路４を経由してノズル３に至る各部で観測される、インクの、体積速度の固有振動の共振周波数は７０〜８０ｋＨｚ近辺であるが、先に説明したように、横振動モードの圧電アクチュエータ６は剛性が低く、コンプライアンスが大きいため、応答が不明瞭であり、前記特性曲線上に、ピークとして現れることはない。
【００６２】
検査信号の電圧値ＶEは、短周期振動を発生させることができる任意の値に設定することができるが、特に、圧電アクチュエータ６を作動させて、ノズルから液滴を吐出させるための駆動信号の電圧値（図９中のＶH）の５０％以上、特に５０〜８０％であるのが好ましい。
【００６３】
電圧値ＶEが前記範囲未満では、前記各ピークにおける電流値の変化量が小さく、したがってピーク高さが小さくなるため、ピークの発生状態を観察することで、圧力漏れやエアトラップの異状の有無を、直接的、かつ容易に検査するのが容易でなくなるおそれがある。また、電圧値が前記範囲を超える場合には、ノズル３からインクが溢れ出したり、溢れ出したインクに代わって、空気が、ノズル３を通して連通路４内や圧力室２内に侵入してエアトラップを生じたり、インクが吐出されてしまったりするおそれがある。
【００６４】
図７は、検査信号の電圧値ＶEを、図の上方から順に、駆動信号の電圧値ＶHの１００％、９０％、８０％、７０％、６０％、５０％、４０％および３０％に設定して測定した特性曲線を示すグラフである。図７からも、検査信号の電圧値ＶEを、駆動信号の電圧値ＶHの５０％以上とするのが、ピークの発生状態の観察による、異状の有無の検査のために好ましいことが、明らかである。
【００６５】
なお、特性曲線を、図４に示す広い周波数帯域に亘って測定する代わりに、前記ピークが発生する可能性のある、図５や図６に示すような、狭い周波数帯域に限って測定してもよい。その場合には、測定の時間を短縮できるという利点がある。
【００６６】
《液体吐出装置の製造方法》
本発明の製造方法は、先に説明した各部を備えた液体吐出装置１を作製する工程と、作製した液体吐出装置１を、前記検査方法で検査する工程とを含むことを特徴とするものである。
【００６７】
図１、図２の例の液体吐出装置１を製造する場合を例にとって、本発明の製造方法を、具体的に説明すると、まず、先に説明したように、複数種の板材を順に、位置合わせしながら、接着剤によって接着する等して積層して一体化することで、基板５を形成すると共に、前記基板５の、圧力室２を形成した側の面に、圧電アクチュエータ６を、位置合わせしながら、接着剤によって接着する等して積層して一体化することで、液体吐出装置１を作製する。
【００６８】
次に、作製した液体吐出装置１の個別電極１１、および共通電極１２を、駆動回路１６に接続する前に、別個に用意した検査回路に接続して、先に説明した本発明の検査方法を実施するか、あるいは、駆動回路１６を接続した後に、前記駆動回路１６を用いて、前記検査方法を実施することで、異状の有無を確認する。そうすると、異常が見られた液体吐出装置１を、あらかじめ、不良品として除外することができるため、圧力漏れのない、良好な液体吐出装置１を、歩留まり良く製造することができる。
【００６９】
《インクジェット印刷装置》
図１は、本発明のインクジェット印刷装置の、実施の形態の一例を示す断面図である。図１を参照して、この例のインクジェット印刷装置は、先に説明した各部を備えた液体吐出装置１と、駆動回路１６と、制御ユニット１７とを備えると共に、前記制御ユニット１７が、本発明の検査方法を実施するための検査部１８を備えることを特徴とするものである。また、この例では、制御ユニット１７に、ノズルを清掃するための、例えばワイパ等の清掃部材１９も接続されている。図８は、前記制御ユニット１７の、内部構造の一例を示すブロック図である。図８を参照して、この例の制御ユニット１７は、通常の画像形成のための画像形成制御部２０と、前記検査部１８とを備えている。
【００７０】
また、検査部１８は、
・  例えば、印刷開始時や、印刷途中の任意の時点等において、駆動回路１６を作動させて、圧電アクチュエータ６の圧電変形領域１４に、小室９を含む圧力室２内と、連通路４内のインクに短周期振動を発生させることができる電圧値ＶEを有する、一定の周波数帯域に亘る検査信号を印加させるための検査信号発生部２１と、
・  印加させた検査信号の、周波数ごとの電流値を測定するための電流測定部２２と、
・  前記電流測定部２２による測定結果をもとに、小室９を含む圧力室２と連通路４におけるエアトラップの有無を判定する判定部２３と、
・  前記判定部２３での判定の結果に基づいて、圧電アクチュエータ６の圧電変形領域１４を作動させて、ノズル３からインクを強制的に排出させると共に、前記清掃部材１９を作動させて、ノズル３を清掃することで、前記エアトラップを解消させる操作を行うメンテナンス制御部２４と、
を備えている。
【００７１】
検査部１８および画像形成制御部２０の出力は、ドライバ２５を介して、駆動回路１６、および清掃部材１９に入力される。また、制御ユニット１７には、図示しないパーソナルコンピュータ（ＰＣ）等を接続して、形成画像のデータ信号や、検査開始のトリガ信号当を受信したり、前記ＰＣ等に、印刷終了、検査中等の、インクジェット印刷装置の現在の動作状態を知らせる信号を送信したりするためのＩ／Ｏポート２６が設けられている。
【００７２】
前記例のインクジェット印刷装置によれば、本発明の検査方法による、エアトラップの発生の有無の検査と、前記検査の結果に基づくインクの排出動作、およびノズル３の清掃とを、例えば、印刷開始時や、印刷途中の任意の時点等において、随時、自動的に、あるいはＰＣ等を操作してトリガ信号を入力することによって、手動で実施できるため、エアトラップの発生に伴うドット抜けの不良のない、画質の良好な画像を、連続して印刷することが可能となる。
【００７３】
例えば、インクジェット印刷装置の電源を投入した印刷開始時に、検査信号発生部２１は、ドライバ２５を介して駆動回路１６を作動させて、圧電アクチュエータ６の圧電変形領域１４に、小室９を含む圧力室２内と、連通路４内のインクに短周期振動を発生させることができる電圧値ＶEを有する、一定の周波数帯域に亘る検査信号を印加させる。
【００７４】
そうすると、電流測定部２２が、印加させた検査信号の、周波数ごとの電流値を測定し、その測定結果から、判定部２３が、小室９を含む圧力室２と連通路４におけるエアトラップの有無を判定する。詳しくは、先に説明した図５や図６のピークが発生しているか否かを計測し、図５のピークが所定の周波数位置に発生しているか、または図６のピークが発生していない場合には、エアトラップが発生していないと判断し、図５のピークが発生していなかったり、周波数位置がずれていたり、あるいは、図６のピークが発生している場合には、エアトラップが発生していると判断する。
【００７５】
そうすると、前記結果を受けて、メンテナンス制御部２４が、ドライバ２５を介して駆動回路１６を作動させることで、圧電アクチュエータ６の、エアトラップが発生したと判断された圧力室２等に対応する圧電変形領域１４を作動させて、ノズル３からインクを強制的に排出させると共に、清掃部材１９を作動させて、ノズル３を清掃して、前記エアトラップを解消させることができる。
【００７６】
なお、本発明の構成は、以上で説明した各図の例に限定されるものではなく、本発明の要旨を変更しない範囲で、種々の設計変更を施すことができる。
【図面の簡単な説明】
【００７７】
【図１】本発明の検査方法が実施される液体吐出装置１を、インクジェット印刷装置に組み込んだ例を示す断面図である。
【図２】図１の例のインクジェット印刷装置のうち、液体吐出装置１の、１つの圧力室２の部分での、図１と直交する方向の断面を示す断面図である。
【図３】本発明の検査方法を実施する際に、図１、図２の例の液体吐出装置の、圧電アクチュエータの圧電変形領域に印加する検査信号の、波形の一例を示すグラフである。
【図４】図３の検査信号を印加して得られる、周波数−電流値特性曲線の一例を示すグラフである。
【図５】図４の特性曲線のうち、共振に伴う電流値のピークが発生する周波数領域を拡大したグラフである。
【図６】図４の特性曲線のうち、図５のピークが発生する周波数領域より低周波数側の、不規則な電流の立ち上がりによるイレギュラーなピークが見られる周波数領域を拡大したグラフである。
【図７】検査信号の電圧値ＶEを変化させて測定した特性曲線を示すグラフである。
【図８】本発明のインクジェット印刷装置を構成する制御ユニットの、内部構造の一例を示すブロック図である。
【図９】図１、図２の例の液体吐出装置を、引き打ち式の駆動方法によって駆動させて液滴を吐出させる際に、圧電アクチュエータの圧電変形領域に印加する駆動電圧の波形の一例と、この駆動電圧が印加された際の、ノズル内における、インクの体積速度の変化との関係を簡略化して示すグラフである。
【符号の説明】
【００７８】
１     液体吐出装置
２     圧力室
３     ノズル
４     連通路
５     基板
６     圧電アクチュエータ
７     供給路
８     絞り部
９     小室
１０   圧電セラミック層
１１   個別電極
１２   共通電極
１３   振動板
１４   圧電変形領域
１５   拘束領域
１６   駆動回路
１７   制御ユニット
１８   検査部
１９   清掃部材
２０   画像形成制御部
２１   検査信号発生部
２２   電流測定部
２３   判定部
２４   メンテナンス制御部
２５   ドライバ
２６   Ｉ／Ｏポート
【図１】
2008080532.tif 000006
【図２】
2008080532.tif 000007
【図３】
2008080532.tif 000008
【図４】
2008080532.tif 000009
【図５】
2008080532.tif 000010
【図６】
2008080532.tif 000011
【図７】
2008080532.tif 000012
【図８】
2008080532.tif 000013
【図９】
2008080532.tif 000014